(57)【要約】【課題】電子機器に対し外部機器を誤接続してしまうことを未然に防止することが可能な誤接続防止機能を備えた電子機器を提供する。【解決手段】複数の外部入出力端子である第１〜第６の外部入出力端子１１〜１６の各々に、発光手段たる第１〜第６のＬＥＤ２１〜２６の各々を対応させ割り当てる。テレビジョン受像機１に構成されるＬＣＤパネル２の表示部２Ａの画面上で、リモコン送信機３２の操作によって選択された外部入出力端子に対応するＬＥＤを点灯させるＬＥＤ点灯制御部３１を設ける。ユーザは、選択した外部入出力端子に対応するＬＥＤが点灯されることで、それを目印として、対応する外部入出力端子に対し間違えることなく記録再生装置４を接続することができる。【選択図】図３
2008242718.tif 000002
【特許請求の範囲】
【請求項１】
接続ケーブルにより外部機器と接続するための複数の外部入出力端子を備えた電子機器において、前記外部入出力端子の各々に対応して発光手段を割り当て、前記複数の外部入出力端子の内、前記電子機器で選択操作された前記外部入出力端子に対応する前記発光手段を点灯させる点灯切替え手段を設けたことを特徴とする誤接続防止機能を備えた電子機器。
【請求項２】
前記外部入出力端子を前記電子機器の横方向に配設すると共に、これら配設された外部入出力端子の近傍に前記発光手段を設け、これら発光手段を前記横方向と同方向に配設したことを特徴とする請求項１記載の誤接続防止機能を備えた電子機器。
【請求項３】
前記外部入出力端子を前記電子機器の縦方向に配設すると共に、これら配設された外部入出力端子の近傍に前記発光手段を設け、これら発光手段を前記縦方向と同方向に配設したことを特徴とする請求項１記載の誤接続防止機能を備えた電子機器。
【請求項４】
前記複数の外部入出力端子と、これらに対応する前記発光手段は、前記電子機器の背面に設けられたものであることを特徴とする請求項１〜３の何れか１項に記載の誤接続防止機能を備えた電子機器。
【請求項５】
前記外部入出力端子が選択された際に前記発光手段を点滅させる制御手段を設けたことを特徴とする請求項１〜４の何れか１項に記載の誤接続防止機能を備えた電子機器。
【請求項６】
前記発光手段の点灯される時間を計測する計時部を備え、該計時部で計測される所定時間経過後に、前記点灯された発光手段が消灯されることを特徴とする請求項１〜５の何れか１項に記載の誤接続防止機能を備えた電子機器。
【発明の詳細な説明】
【技術分野】
【０００１】
本発明は、複数の外部入出力端子を有する電子機器に関し、特に、外部機器と電子機器とを接続ケーブルなどで接続する際、所定の外部入出力端子に対して間違えることなく外部機器を接続することが可能な誤接続防止機能を備えた電子機器に関する。
【背景技術】
【０００２】
従来から用いられているテレビジョン受像機などの電子機器は、受信した番組をＨＤＤ装置やＤＶＤ装置などの外部機器などに記録するため、外部機器とテレビジョン受像機とを接続するために、その背面などに複数の外部入出力端子が設けられている。例えば、特許文献１には、多数の外部入力端子が備えられた画像表示装置たるテレビジョン受像機において、前記外部入力端子に接続されている外部機器の接続状態や機器名をテレビジョン受像機の画面上に表示させることにより、ユーザがそれらの内容を確認することができる技術が開示されている。
【０００３】
【特許文献１】特開平１１−２６１９１８号公報
【発明の開示】
【発明が解決しようとする課題】
【０００４】
しかし、特許文献１においては、多数のうちのどの外部入力端子にどういった外部機器が接続されているのかをテレビジョン受像機の画面を目視することにより接続状況を確認することはできるものであるが、外部入力端子に外部機器を接続するに際し、接続を間違えないように未然に防止できるわけではない。すなわち、外部機器を接続する際には、テレビジョン受像機の画面を見ながら接続するわけではないから、特許文献１で開示されているように、後になって画面を目視することで接続状況を確認したとしても、それらの接続が間違っていた際には、正しい状態に再度接続し直さなければならず、その接続作業に時間を費やしてしまい煩雑な作業を要してしまう。
【０００５】
本発明は上記課題に鑑みてなされたものであり、電子機器に対し外部機器を誤接続してしまうことを未然に防止することが可能な誤接続防止機能を備えた電子機器を提供することを目的とする。
【課題を解決するための手段】
【０００６】
請求項１に係る誤接続防止機能を備えた電子機器は、接続ケーブルにより外部機器と接続するための複数の外部入出力端子を備えた電子機器において、前記外部入出力端子の各々に対応して発光手段を割り当て、前記複数の外部入出力端子の内、前記電子機器で選択操作された前記外部入出力端子に対応する前記発光手段を点灯させる点灯切替え手段を設けたことを特徴とする。
【０００７】
請求項１の構成によれば、電子機器に備えた複数の外部入出力端子の内の何れか一つに外部機器を接続ケーブルを介して接続する際、ユーザが所望の外部入出力端子を選択操作すると、その選択操作に対応している発光手段が、点灯切替え手段により点灯されるので、ユーザは、その点灯された発光手段を目印として、それに対応する外部入出力端子に対し、間違えることなく所定の外部機器を接続することができる。
【０００８】
請求項２に係る誤接続防止機能を備えた電子機器は、請求項１記載の誤接続防止機能を備えた電子機器において、前記外部入出力端子を前記電子機器の横方向に配設すると共に、これら配設された外部入出力端子の近傍に前記発光手段を設け、これら発光手段を前記横方向と同方向に配設したことを特徴とする。
【０００９】
請求項２の構成によれば、電子機器の横方向に配設された外部入出力端子の各々に対応して、これら外部入出力端子の近傍に発光手段を設けたので、ユーザが所望の外部入出力端子を選択した際、外部入出力端子の近傍に設けた発光手段が点灯されることで、ユーザは、その点灯された発光手段を目印として、それに対応する外部入出力端子に対し、間違えることなく所定の外部機器を接続することができる。
【００１０】
請求項３に係る誤接続防止機能を備えた電子機器は、請求項１記載の誤接続防止機能を備えた電子機器において、前記外部入出力端子を前記電子機器の縦方向に配設すると共に、これら配設された外部入出力端子の近傍に前記発光手段を設け、これら発光手段を前記縦方向と同方向に配設したことを特徴とする。
【００１１】
請求項３の構成によれば、電子機器の縦方向に配設された外部入出力端子の各々に対応して、これら外部入出力端子の近傍に発光手段を設けたので、ユーザが所望の外部入出力端子を選択した際、発光手段の近傍に設けた発光手段が点灯されることで、ユーザは、その点灯された発光手段を目印として、それに対応する外部入出力端子に対し、間違えることなく所定の外部機器を接続することができる。
【００１２】
請求項４に係る誤接続防止機能を備えた電子機器は、請求項１〜３の何れか１項に記載の誤接続防止機能を備えた電子機器において、前記複数の外部入出力端子と、これらに対応する前記発光手段は、前記電子機器の背面に設けられたものであることを特徴とする。
【００１３】
請求項４の構成によれば、複数の外部入出力端子の各々と、これらに対応する発光手段を同時に目視することができるので、発光手段の点灯に応じてこの点灯された発光手段を目視しながら、これに対応する外部入出力端子に外部機器を見誤ることなく接続することが可能となる。
【００１４】
請求項５に係る誤接続防止機能を備えた電子機器は、請求項１〜４の何れか１項に記載の誤接続防止機能を備えた電子機器において、前記外部入出力端子が選択された際に前記発光手段を点滅させる制御手段を設けたことを特徴とする。
【００１５】
請求項５の構成によれば、外部入出力端子が選択された際に、制御手段が発光手段を点滅させるので、目印の対象となる発光手段がいずれであるかを容易に把握することができる。
【００１６】
請求項６に係る誤接続防止機能を備えた電子機器は、請求項１〜５の何れか１項に記載の誤接続防止機能を備えた電子機器において、前記発光手段の点灯される時間を計測する計時部を備え、該計時部で計測される所定時間経過後に、前記点灯された発光手段が消灯されることを特徴とする。
【００１７】
請求項６の構成によれば、点灯（点滅を含む）された発光手段は、計時部で計測された所定時間経過後に自動的に消灯される。
【発明の効果】
【００１８】
請求項１に係る誤接続防止機能を備えた電子機器によれば、接続ケーブルにより外部機器と接続するための複数の外部入出力端子を備えた電子機器において、前記外部入出力端子の各々に対応して発光手段を割り当て、前記複数の外部入出力端子の内、前記電子機器で選択操作された前記外部入出力端子に対応する前記発光手段を点灯させる点灯切替え手段を設けたので、ユーザは、その点灯された発光手段を目印として、それに対応する外部入出力端子に対し、間違えることなく所定の外部機器を接続ケーブルを介して接続することができるので、誤接続することを防止でき且つ接続作業を簡単に行なうことができる。
【００１９】
請求項２に係る誤接続防止機能を備えた電子機器は、請求項１記載の誤接続防止機能を備えた電子機器において、前記外部入出力端子を前記電子機器の横方向に配設すると共に、これら配設された外部入出力端子の近傍に前記発光手段を設け、これら発光手段を前記横方向と同方向に配設したものであり、外部入出力端子の近傍に設けた発光手段が点灯されることで、ユーザは、その点灯された発光手段を目印として、それに対応する外部入出力端子に対し、間違えることなく所定の外部機器を接続することができるので、接続作業性に優れる。
【００２０】
請求項３に係る誤接続防止機能を備えた電子機器は、請求項１記載の誤接続防止機能を備えた電子機器において、前記外部入出力端子を前記電子機器の縦方向に配設すると共に、これら配設された外部入出力端子の近傍に前記発光手段を設け、これら発光手段を前記縦方向と同方向に配設したものであり、外部入出力端子の近傍に設けた発光手段が点灯されることで、ユーザは、その点灯された発光手段を目印として、それに対応する外部入出力端子に対し、間違えることなく所定の外部機器を接続することができるので、接続作業性に優れる。
【００２１】
請求項４に係る誤接続防止機能を備えた電子機器は、請求項１〜３の何れか１項に記載の誤接続防止機能を備えた電子機器において、前記複数の外部入出力端子と、これらに対応する前記発光手段は、前記電子機器の背面に設けられたものであり、複数の外部入出力端子と、これらに対応する発光手段を同時に目視することができるので、点灯された発光手段を目視しながら、これに対応する外部入出力端子に外部機器を見誤ることなく確実に接続することが可能となる。
【００２２】
請求項５に係る誤接続防止機能を備えた電子機器は、請求項１〜４の何れか１項に記載の誤接続防止機能を備えた電子機器において、前記外部入出力端子が選択された際に前記発光手段を点滅させる制御手段を設けたので、制御手段により点滅させられた発光手段に対応する外部入出力端子が何れであるかを、より確実且つ容易に把握することが可能となる。
【００２３】
請求項６に係る誤接続防止機能を備えた電子機器は、請求項１〜５の何れか１項に記載の誤接続防止機能を備えた電子機器において、前記発光手段の点灯される時間を計測する計時部を備え、該計時部で計測される所定時間経過後に、前記点灯された発光手段が消灯されるものであり、発光手段が、例えば１分後などの短時間で自動的に消灯されることで、消費電力を抑えることができる。
【発明を実施するための最良の形態】
【００２４】
以下、本発明を実施するための最良の形態としての実施例を図１から図７に基づき説明する。もちろん、本発明は、その発明の趣旨に反さない範囲で、実施例において説明した以外のものに対しても容易に適用可能なことは説明を要するまでもない。
【００２５】
図１はテレビジョン受像機を示す正面図、図２はテレビジョン受像機を示す背面図、図３はテレビジョン受像機の外部入出力端子と外部機器たるＤＶＤプレーヤなどの記録再生装置とを接続した状態を示す説明図である。
【００２６】
本実施例の電子機器たるテレビジョン受像機１は、図１に示すように、その正面に映像を表示するための表示部２Ａを構成するＬＣＤパネル２を備え、このＬＣＤパネル２が外観を形成する合成樹脂製のキャビネット３に一体に組み付けられている。
【００２７】
テレビジョン受像機１のキャビネット３の後部には、図２に示すように、複数の外部入出力端子１１〜１６が横方向に配列して設けられ、これら第１〜第６の外部入出力端子１１〜１６の各々に対応して、これらの上部の各々に発光手段たる第１〜第６のＬＥＤ２１〜２６が設けられており、図３に示すように、テレビジョン受像機１の第１の外部入出力端子１１と外部機器たる記録再生装置（ＤＶＤプレーヤ）４とは接続ケーブル５により接続されるようになっている。
【００２８】
図４はテレビジョン受像機の構成を示すブロック図であり、テレビジョン受像機１の構成について図４に基づき説明すると、１１は第１の外部入出力端子、１２は第２の外部入出力端子、１３は第３の外部入出力端子、１４は第４の外部入出力端子、１５は第５の外部入出力端子、１６は第６の外部入出力端子であり、これら複数の第１〜第６の外部入出力端子１１〜１６は、テレビジョン受像機１の背面側のキャビネット３に組み付けられている。
【００２９】
３０はテレビジョン受像機１の各種制御処理を行う制御手段たるＣＰＵであり、このＣＰＵ３０は、第１〜第６のＬＥＤ２１〜２６の点灯・消灯の切り替え制御をするＬＥＤ点灯制御部３１、リモコン送信機３２から出力されたリモコン信号が、テレビジョン受像機１のリモコン受光部３３を介してＣＰＵ３０に入力された入力信号に基づきテレビジョン受像機１の制御処理を行うリモコン信号受信部３４、テレビジョン受像機１に設けられた各種操作ボタン３５の操作に基づきテレビジョン受像機１の動作制御を行うキー信号受信部３６を構成している。そして、ＣＰＵ３０からの指示信号に基づき、テレビジョン受像機内に構成される各種装置、すなわち、映像及び音声を受信するチューナー３７、スイッチ３８、ＡＤＣ（Analog  Digital  Converter）３９、スケーラーＩＣ４０、ＬＶＤＳ  ＩＣ（Low  Voltage  Differential  Signaling）４１、ＨＤＭＩ  Ｒｅｃｅｉｖｅｒ  ＩＣ４２、Ｓｏｕｎｄ  Ｐｒｏｃｅｓｓｏｒ  ＩＣ４３、Ｓｏｕｎｄ  ＡＭＰ４４、スピーカー４５、及び前述したＬＣＤパネル２等の動作が制御されるようになっている。
【００３０】
次に発光手段たるＬＥＤが点灯する際の作動を図５に示すフローチャート及び図６により説明する。第１の外部入出力端子１１に外部機器たる記録再生装置４を接続ケーブル５などで接続するに際し、ユーザによるリモコン送信機３２などの操作によって、リモコン受光部３３で受信した受信信号に基づき外部入出力スイッチの切り替え操作が行われると（Ｓ１）、図６に示すように、液晶テレビジョン受像機のＬＣＤパネル２の表示部２Ａにメニュー画面として表示された設定に基づき、切り替え操作によって選択された、第１〜第６の外部入出力端子１１〜１６の内の切り替え選択された、例えば、第１の外部入出力端子１１に対する第１のＬＥＤ２１を点灯する。より詳しくは、図６に示すメニュー画面において、選択操作された第１の外部入出力端子１１に対応する「入出力端子のＬＥＤ点灯」が表示されると共に、「ＹＥＳ」と「ＮＯ」との選択画面が表示される。ここで、ユーザがリモコン送信機３２の選択操作により「ＹＥＳ」が選択されていた場合には、図５にてＳ２からＳ３に進み、入力に応じた第１の外部入出力端子１１に対応する第１のＬＥＤ２１がＬＥＤ点灯制御部３１からの指示信号により点灯される。また、Ｓ２にて「ＮＯ」が選択されていた場合には、第１のＬＥＤ２１は点灯されることなく消灯状態が維持される。
【００３１】
また、本実施例において、外部機器としての記録再生装置４とテレビジョン受像機１とが接続されるが、例えば、複数の外部機器の各々をテレビジョン受像機１の複数の外部入出力端子の各々に接続されている状態において、それらの内、何れか一つの外部機器を取り外したい場合は、ＬＣＤパネル２の表示部２Ａに複数の外部入出力端子の接続状況を表示することができるようになっており、表示部２Ａに表示される表示画面にて、ユーザが、リモコン送信機３２で取り外したい外部入出力端子を選択操作することで、その選択した外部入出力端子に対応したＬＥＤを点灯させることができる。より詳しくは、図７に示すように、点灯させるか否かを選択するための「ＹＥＳ」と「ＮＯ」がＬＣＤパネル２の表示部２Ａにメニュー項目として表示され（Ｓ１、Ｓ２）、Ｓ２にて「ＮＯ」が選択されていた場合には、ＬＥＤは点灯せずに消灯状態が維持されるが（Ｓ４）、その一方で、「ＹＥＳ」が選択されていた場合には、取り外したい外部入出力端子のＬＥＤを消灯状態から点灯させることができる（Ｓ３）。よって、ユーザなどは、取り外したい外部機器に対応する点灯されたＬＥＤを目印としてその外部機器を取り外すことが可能となるので、間違うことなく所望の外部機器を取り外すことができる。
【００３２】
以上のように本テレビジョン受像機１によれば、複数の外部入出力端子である第１〜第６の外部入出力端子１１〜１６の各々に、発光手段たる第１〜第６のＬＥＤ２１〜２６の各々を対応させ割り当て、これら複数の外部入出力端子の内、前記テレビジョン受像機１に構成されるＬＣＤパネル２の表示部２Ａの画面上で、リモコン送信機３２又は操作ボタン３５の操作などによって選択された第１の外部入出力端子１１に対応する第１のＬＥＤ２１を点灯させる、点灯切替え手段たるＬＥＤ点灯制御部３１を設けたので、ユーザは、その点灯された第１のＬＥＤ２１を目印として、これに対応する第１の外部入出力端子１１に対し、間違えることなく所定の記録再生装置４などの外部機器を接続ケーブル５を介して接続することができる。従って、外部機器の誤接続を防止することができ且つその接続作業を簡単に行なうことができる。
【００３３】
さらに、図３に示すように、複数の外部入出力端子（第１〜第６の外部入出力端子１１〜１６）をテレビジョン受像機１の横方向に水平に配設すると共に、これら配設された第１〜第６の外部入出力端子１１〜１６の各々の近傍であって且つ上部に発光手段たる第１〜第６のＬＥＤ２１〜２６を設け、これら第１〜第６のＬＥＤ２１〜２６を前記横方向と同じ方向に配設したものである。これにより、外部入出力端子の内の１つ（例えば第１の外部入出力端子１１）が選択操作された際に、第１の外部入出力端子１１の上部の第１のＬＥＤ２１がＬＥＤ点灯制御部３１により点灯されることで、ユーザは、その点灯された第１のＬＥＤ２１を目印として、それに対応する外部入出力端子、すなわち第１の外部入出力端子１１に対し、間違えることなく所定の外部機器を接続することができるので接続作業性に優れたテレビジョン受像機１を得ることができる。なお、第１〜第６のＬＥＤ２１〜２６を第１〜第６の外部入出力端子１１〜１６の上部に代えて下部に設けても、上部に設けたときと同様の作用・効果を奏することは言うまでもない。
【００３４】
さらに、変形例として、第１〜第６の外部入出力端子１１〜１６をテレビジョン受像機１の縦方向に垂直に配設し、且つこれら配設された外部入出力端子１１〜１６の各々の近傍であって左右何れかの側部の各々に第１〜第６のＬＥＤ２１〜２６の各々を対応させて設けることで、これらＬＥＤ（第１〜第６のＬＥＤ２１〜２６）を前記縦方向と同方向に配設した際においても、複数の外部入出力端子の内、何れか一つが選択操作された際に、この選択された外部入出力端子に対応するＬＥＤが点灯されることで、ユーザは、その点灯されたＬＥＤを目印として、これに対応する外部入出力端子に対し、間違えることなく所定の外部機器を接続することができるので、外部機器との接続作業性を向上することができる。
【００３５】
しかも、複数の外部入出力端子（第１〜第６の外部入出力端子１１〜１６）と、これらに対応する前記発光手段（第１〜第６のＬＥＤ２１〜２６）は、何れにおいてもテレビジョン受像機１の背面に設けられたものである。よって、ユーザはテレビジョン受像機１の背面側のみを目視することで、複数の外部入出力端子と、これらに対応するＬＥＤとを同時に視認することができる。よって、点灯されたＬＥＤを確認しながら、これに対応する外部入出力端子も同時に視認することができるので、点灯されたＬＥＤに対応する所定の外部入出力端子に対して外部機器を間違えることなく確実に接続することが可能となる。
【００３６】
さらに、発光手段たるＬＥＤは、外部入出力端子が選択操作された際に制御手段たるＣＰＵ３０により点滅されるので、視認性が向上し、ユーザは点滅したＬＥＤに対応する外部入出力端子が何れであるかをより確実且つ容易に見誤ることなく把握することが可能となる。
【００３７】
さらに、ＬＥＤの点灯される時間を計測する計時部４６を備え、この計時部４６で計測される所定時間経過後に、点灯されているＬＥＤが、ＬＥＤ点灯制御部３１により、例えば１分後などの短時間で自動的に消灯されるので、消費電力を抑えることができる。
【００３８】
また、各外部入出力端子とこれに対応する各ＬＥＤとの間隔は３０ｍｍ以下となっており、すなわち、外部入出力端子の各々に対して、これらに対応するＬＥＤの各々が、近傍（３０ｍｍ以下）に配設されている。よって、少なくとも３組以上や本実施例のように６組以上などの複数の外部入出力端子を備えていたとしても、これら複数の外部入出力端子のそれぞれに対し、どのＬＥＤが対応し割り当てられているのか否かを一目して認識することができる。
【図面の簡単な説明】
【００３９】
【図１】本発明の一例における、テレビジョン受像機を示す正面図である。
【図２】同上、テレビジョン受像機を示す背面図である。
【図３】同上、テレビジョン受像機の外部入出力端子と外部機器たる記録再生装置とを接続した状態を示す説明図である。
【図４】同上、テレビジョン受像機の構成を示すブロック図である。
【図５】同上、発光手段が点灯する際の作動を示すフローチャートである。
【図６】同上、ＬＣＤパネルにメニュー画面が表示された状態を示す説明図である。
【図７】同上、テレビジョン受像機の表示部に表示されるメニュー項目を選択する際の作動を示すフローチャートである。
【符号の説明】
【００４０】
１  テレビジョン受像機（電子機器）
２Ａ  表示部
４  記録再生装置（外部機器）
５  接続ケーブル
１１  第１の外部入出力端子（外部入出力端子）
１２  第２の外部入出力端子（外部入出力端子）
１３  第３の外部入出力端子（外部入出力端子）
１４  第４の外部入出力端子（外部入出力端子）
１５  第５の外部入出力端子（外部入出力端子）
１６  第６の外部入出力端子（外部入出力端子）
２１  第１のＬＥＤ（発光手段）
２２  第２のＬＥＤ（発光手段）
２３  第３のＬＥＤ（発光手段）
２４  第４のＬＥＤ（発光手段）
２５  第５のＬＥＤ（発光手段）
２６  第６のＬＥＤ（発光手段）
３０  ＣＰＵ（制御手段）
３１  ＬＥＤ点灯制御部（点灯切替え手段）
【図１】
2008242718.tif 000003
【図２】
2008242718.tif 000004
【図３】
2008242718.tif 000005
【図４】
2008242718.tif 000006
【図５】
2008242718.tif 000007
【図６】
2008242718.tif 000008
【図７】
2008242718.tif 000009